(57)【要約】【課題】ＩＳＤＮ回線を利用してＩＳＤＮサービス及びＡＤＳＬサービスの両方を受けることができる通信ネットワークを実現する。【解決手段】本発明では、ユーザ宅（１）に端末装置（１０）を配置し、事業者の加入者線収容局（２）に通信装置（２０）を配置し、端末装置と通信装置とを２Ｗメタリック回線（３）により相互接続する。端末装置は、ＩＳＤＮ端末（１１）からの信号及びＩＰ通信端末（１２）からの信号を重畳してＡＴＭ信号とし、このＡＴＭ信号を変調して多重化信号として４線／２線変換して通信装置に送出する。通信装置は、２線／４線変換してから、復調し、ＩＰ信号及びＩＳＤＮ信号に分離してＩＳＤＮ網（４）及びＩＰ網（５）へ送出する。【選択図】        図１
2004180025.tif 000002
【特許請求の範囲】
【請求項１】
通信事業者の加入者線収容局に設置され、ＩＰ網及びＩＳＤＮ網に接続した通信装置と、ＩＳＤＮ加入者であるユーザ宅に設置され、ＩＰ通信端末及びＩＳＤＮ端末に接続される端末装置とを具え、これら通信装置と通信端末とが２Ｗメタリック回線を介して相互接続されている通信ネットワークであって、
前記ユーザ宅に設置されている端末装置は、ＩＳＤＮ端末及びＩＰ通信端末からそれぞれ送られてきたＩＳＤＮ基本チャネル信号及びＩＰ信号をＡＴＭセル信号化して重畳する手段と、重畳されたＡＴＭセル信号を変調して多重化する変調手段と、変調された多重化ＡＴＭ信号を４線／２線変換して前記２Ｗメタリック回線へ送出すると共に前記通信装置から２Ｗメタリック回線を経て送られてきた変調された多重化ＡＴＭ信号を受信して２線／４線変換する手段と、変換された多重化ＡＴＭ信号をＡＴＭセル信号に復調する復調手段と、復調されたＡＴＭセル信号をＩＳＤＮ基本チャネル信号とＩＰ信号とに分離する手段とを具え、
前記加入者線収容局に設置された通信装置は、前記ユーザ宅に設置された端末装置から２Ｗメタリック回線を経て送られてきた多重化ＡＴＭ信号を２線／４線変換する手段と、変換された多重化ＡＴＭ信号をＡＴＭセル信号に復調する手段と、復調されたＡＴＭセル信号をＩＳＤＮ基本チャネル信号とＩＰ信号とに分離する手段と、ＩＳＤＮ網との接続用のインタフェースと、ＩＰ網との接続用のインタフェースと、それぞれＩＳＤＮ網及びＩＰ網を介して受信したＩＳＤＮ基本チャネル信号とＩＰ信号とをＡＴＭセル信号化して重畳する手段と、重畳されたＡＴＭセル信号を変調して多重化する変調手段と、変調された多重化ＡＴＭセル信号を４線／２線変換して前記２Ｗメタリック回線へ送出する手段とを具え、
ＩＳＤＮ加入者であるユーザ宅に配置されたＩＳＤＮ端末及びＩＰ端末とＩＳＤＮ網及びＩＰ網との間において、２Ｗメタリック回線及び通信事業者の通信装置を介してデータ伝送を行うことを特徴とする通信ネットワーク。
【請求項２】
請求項１に記載の通信ネットワークにおいて、前記ユーザ宅に設置された端末装置と前記通信事業者の加入者線収容局に設置された通信装置との間のデータ伝送を、ＡＤＳＬ接続サービスにより行うことを特徴とする通信ネットワーク。
【請求項３】
請求項１又は２に記載の通信ネットワークにおいて、前記通信装置と端末装置とを接続する２Ｗメタリック回線として、ＩＳＤＮサービス用に設置されているＩＳＤＮ回線を利用することを特徴とする通信ネットワーク。
【請求項４】
請求項１、２又は３に記載の通信ネットワークにおいて、前記通信事業者の加入者線収容局に設置された通信装置とＩＳＤＮ網との接続用のインタフェースとしてＢＲＩを有し、通信装置とＩＰ網との間の接続用のインタフェースとしてＥｔｈｅｒを有することを特徴とする通信ネットワーク。
【請求項５】
ＩＳＤＮ加入者宅に配置されているＩＳＤＮ通信端末及びＩＰ端末とＩＳＤＮ回線との間に接続され、ＩＳＤＮ基本チャネル信号とＩＰ信号とを多重化してＩＳＤＮ回線に送出すると共に、ＩＳＤＮ回線を介して送られてきた多重化信号をＩＳＤＮ基本チャネル信号とＩＰ信号とに分離する端末装置であって、
ＩＳＤＮ端末との接続用のインタフェースと、ＩＰ通信端末との接続用インタフェースと、これらインタフェースを介して受信したＩＳＤＮ基本チャネル信号及びＩＰ信号をＡＴＭセル信号化して重畳する手段と、重畳されたＡＴＭセル信号を変調して多重化する変調手段と、変調されたＡＴＭセル信号を４線／２線変換して前記ＩＳＤＮ回線へ送出すると共にＩＳＤＮ回線を経て送られてきた多重化ＡＴＭ信号を受信して２線／４線変換する手段と、変換された多重化ＡＴＭ信号をＡＴＭセル信号に復調する復調手段と、復調されたＡＴＭセル信号をＩＳＤＮ基本チャネル信号とＩＰ信号とに分離する手段とを具えることを特徴とする端末装置。
【請求項６】
請求項５に記載の端末装置において、前記重畳手段と分離手段とが単一のモジュールを構成し、前記変調手段と復調手段とが単一のモジュールを構成することを特徴とする端末装置。
【請求項７】
ＩＳＤＮ加入者宅とＩＳＤＮ網及びＩＰ網との間に接続され、ＩＳＤＮ加入者宅から２Ｗメタリック回線を介して送られてきたＩＳＤＮ基本チャネル信号とＩＰ信号とが重畳された多重化信号を、ＩＳＤＮ基本チャネル信号とＩＰ信号とに分離してそれぞれＩＳＤＮ網及びＩＰ網に送出すると共に、ＩＳＤＮ網及びＩＰ網を介して送られてきたＩＳＤＮ基本チャネル信号及びＩＰ信号を多重化して２Ｗメタリック回線を介してＩＳＤＮ加入者宅に送出する通信装置であって、
ＩＳＤＮ加入者宅から送られてきた多重化信号を２線／４線変換する手段と、変換された多重化信号をＡＴＭセル信号に復調する復調手段と、復調されたＡＴＭセル信号をＩＳＤＮ基本チャネル信号とＩＰ信号とに分離する分離手段と、ＩＳＤＮ網との接続用のインタフェースと、ＩＰ網との接続用のインタフェースと、ＩＳＤＮ網及びインタフェースを介して受信したＩＳＤＮ基本チャネル信号とＩＰ網及びインタフェースを介して受信したＩＰ信号とをＡＴＭセル信号化して重畳する手段と、重畳されたＡＴＭセル信号を変調して多重化する変調手段と、多重化されたＡＴＭセル信号を４線／２線変換して前記２Ｗメタリック回線へ送出する手段とを具えることを特徴とする通信装置。
【請求項８】
請求項７に記載の通信装置において、前記復調手段と変調手段とを単一のモジュールとして構成し、前記多重化手段と分離手段とを単一のモジュールとして構成し、前記２線／４線変換する手段と４線／２線変換する手段を単一のモジュールとして構成したことを特徴とする通信装置。
【発明の詳細な説明】
【０００１】
【発明の属する技術分野】
本発明は、ＩＳＤＮサービス加入者がＩＳＤＮ回線を利用してＡＤＳＬ接続サービスを受けることができる通信ネットワークに関するものである。
さらに、本発明は、上述した通信ネットワークに用いられる通信装置及び端末装置にも関するものである。
【０００２】
【従来の技術】
高速広帯域の通信網としてＩＳＤＮ網が広く実用化されている。このＩＳＤＮ網は、電話、データ通信、ファクシミリ通信、映像通信等の各種通信サービスを統一的に提供するディジタルネットワークである。そして、２つの情報チャネルと１つの信号チャネルが同時に使用され、情報チャネルは通話モードとディジタル通信モード並びにパケット通信モードに利用されている。このＩＳＤＮ網では、使用帯域として０〜３２０ｋＨｚの周波数帯域が使用され、加入者宅と通信事業者の加入者線収容局とは２Ｗメタリック回線により接続されている。
【０００３】
一方、ＩＰ網の発達に伴い、別の高速通信サービスとして、ＡＤＳＬ（Ａｓｙｍｍｅｔｒｉｃ  Ｄｉｇｉｔａｌ  Ｓｕｂｓｃｒｉｂｅｒ  Ｌｉｎｅ）方式が実用化されている。ＡＤＳＬは、アナログ電話回線との共用を前提とし、主としてインターネット網へのアクセス回線として利用されている。このＡＤＳＬでは、音声通話で使用される帯域とデータ通信の帯域とが重複しないようにするため、データ通信には３０ｋＨｚ〜１．１ＭＨｚの周波数帯域が割り当てられ、ＤＭＴ処理（全チャネルをまとめて変調する）により変復調されて２Ｗメタリック回線へ送出されている。この際、ＰＯＴＳスプリッタによりアナログ回線の音声信号（無変調）とＩＰデータ信号とを分離・多重する方法が採用されている（例えば、非特許文献１参照）。
【０００４】
【非特許文献１】
秀和システム編集部著「通信ネットワーク用語事典」秀和システム出版、２００２年５月１日、第３２頁〜３５頁
【０００５】
【発明が解決しようとする課題】
ＩＳＤＮは、電話、データ通信等の各種通信サービスを統一的に提供するディジタルネットワークであり、マルチメディア通信を提供する重要な意義を有している。また、ＡＤＳＬは、インターネット網への高速アクセス回線として重要な意義を有している。従って、既にＩＳＤＮサービスに加入している者がＩＳＤＮ回線を利用してＡＤＳＬ接続サービスを受けることができれば、極めて有用な通信ネットワークを構築することができる。しかしながら、ＩＳＤＮの通信帯域とＡＤＳＬの通信帯域とが互いに重なり合うため、ＰＯＴＳスプリッタを用いて  分離多重することは不可能であった。
【０００６】
従って、本発明の目的は、既に設置されているＩＳＤＮ回線を用いてＩＳＤＮサービス及びＡＤＳＬサービスの両方を利用することができる通信ネットワークを実現することにある。
【０００７】
さらに、本発明の別の目的は、上述した通信ネットワークにおいて、通信事業者の加入者線収容局に設置される通信装置及びユーザ宅に設置されるモデムすなわち端末装置を提供することにある。
【０００８】
【課題を解決するための手段】
上記目的を達成するため、本発明による通信ネットワークは、通信事業者の加入者線収容局に設置され、ＩＰ網及びＩＳＤＮ網に接続した通信装置と、ＩＳＤＮ加入者であるユーザ宅に設置され、ＩＰ通信端末及びＩＳＤＮ端末に接続される端末装置とを具え、これら通信装置と通信端末とが２Ｗメタリック回線を介して相互接続されている通信ネットワークであって、
前記ユーザ宅に設置されている端末装置は、ＩＳＤＮ端末及びＩＰ通信端末からそれぞれ送られてきたＩＳＤＮ基本チャネル信号及びＩＰ信号をＡＴＭセル信号化して重畳する手段と、重畳されたＡＴＭセル信号を変調して多重化する変調手段と、変調された多重化ＡＴＭ信号を４線／２線変換して前記２Ｗメタリック回線へ送出すると共に前記通信装置から２Ｗメタリック回線を経て送られてきた変調された多重化ＡＴＭ信号を受信して２線／４線変換する手段と、変換された多重化ＡＴＭ信号をＡＴＭセル信号に復調する復調手段と、復調されたＡＴＭセル信号をＩＳＤＮ基本チャネル信号とＩＰ信号とに分離する手段とを具え、
前記加入者線収容局に設置された通信装置は、前記ユーザ宅に設置された端末装置から２Ｗメタリック回線を経て送られてきた多重化ＡＴＭ信号を２線／４線変換する手段と、変換された多重化ＡＴＭ信号をＡＴＭセル信号に復調する手段と、復調されたＡＴＭセル信号をＩＳＤＮ基本チャネル信号とＩＰ信号とに分離する手段と、ＩＳＤＮ網との接続用のインタフェースと、ＩＰ網との接続用のインタフェースと、それぞれＩＳＤＮ網及びＩＰ網を介して受信したＩＳＤＮ基本チャネル信号とＩＰ信号とをＡＴＭセル信号化して重畳する手段と、重畳されたＡＴＭセル信号を変調して多重化する変調手段と、変調された多重化ＡＴＭセル信号を４線／２線変換して前記２Ｗメタリック回線へ送出する手段とを具え、
ＩＳＤＮ加入者であるユーザ宅に配置されたＩＳＤＮ端末及びＩＰ端末      とＩＳＤＮ網及びＩＰ網との間において、２Ｗメタリック回線及び通信事業者の通信装置を介してデータ伝送を行うことを特徴とする。
【０００９】
本発明では、ＩＳＤＮ基本チャネル信号とＩＰ信号をＡＴＭセル信号化しているので、０〜３２０ｋＨｚの信号がビットマップ化され、３０ｋＨｚ〜１１０４ｋＨｚの帯域内にＤＭＴ処理して２Ｗメタリック化へ送出することができる。この結果、ＰＯＳＴスプリッタが不要となり、ＩＳＤＮ回線を用いてＡＤＳＬ接続サービスを利用することができる。すなわち、ＩＳＤＮ回線とＩＰ回線とを別々に引き込むことなく、既存のＩＳＤＮ回線を用いてＩＳＤＮサービス及びＡＤＳＬサービスの両方を利用することができる。
【００１０】
本発明による通信ネットワークの好適実施例は、ユーザ宅に設置された端末装置と前記通信事業者の加入者線収容局に設置された通信装置との間のデータ伝送を、ＡＤＳＬ接続サービスにより行うことを特徴とする。ＡＤＳＬ接続サービスを利用することにより、ユーザは、高速ＩＰ通信サービスを受けることができる。
【００１１】
本発明による通信ネットワークの別の好適実施例は、通信装置と端末装置とを接続する２Ｗメタリック回線として、ＩＳＤＮサービス用に設置されているＩＳＤＮ回線を利用することを特徴とする。
【００１２】
本発明による通信ネットワークの別の好適実施例は、通信事業者の加入者線収容局に設置された通信装置とＩＳＤＮ網との接続用のインタフェースとしてＢＲＩを有し、通信装置とＩＰ網との間の接続用のインタフェースとしてＥｔｈｅｒを有することを特徴とする。このように、接続用のインタフェースとしてＢＲＩ及びＥｔｈｅｒを設けることにより、複数の通信事業者がＩＳＤＮサービス及びＡＤＳＬサービスの両方のサービスを提供することができる。この結果、ユーザは、所望の通信事業者を自由に選択することができる。
【００１３】
本発明による通信装置は、ＩＳＤＮ加入者宅とＩＳＤＮ網及びＩＰ網との間に接続され、ＩＳＤＮ加入者宅から２Ｗメタリック回線を介して送られてきたＩＳＤＮ基本チャネル信号とＩＰ信号とが重畳された多重化信号を、ＩＳＤＮ基本チャネル信号とＩＰ信号とに分離してそれぞれＩＳＤＮ網及びＩＰ網に送出すると共に、ＩＳＤＮ網及びＩＰ網を介して送られてきたＩＳＤＮ基本チャネル信号及びＩＰ信号を多重化して２Ｗメタリック回線を介してＩＳＤＮ加入者宅に送出する通信装置であって、
ＩＳＤＮ加入者宅から送られてきた多重化信号を２線／４線変換する手段と、変換された多重化信号をＡＴＭセル信号に復調する復調手段と、復調されたＡＴＭセル信号をＩＳＤＮ基本チャネル信号とＩＰ信号とに分離する分離手段と、ＩＳＤＮ網との接続用のインタフェースと、ＩＰ網との接続用のインタフェースと、ＩＳＤＮ網及びインタフェースを介して受信したＩＳＤＮ基本チャネル信号とＩＰ網及びインタフェースを介して受信したＩＰ信号とをＡＴＭセル信号化して多重化する多重化手段と、ＡＴＭセル信号を多重信号化された信号を変調する変調手段と、多重化されたＡＴＭセル信号を４線／２線変換して前記２Ｗメタリック回線へ送出する手段とを具えることを特徴とする。
【００１４】
さらに、本発明による端末装置は、ＩＳＤＮ加入者宅に配置されているＩＳＤＮ通信端末及びＩＰ端末とＩＳＤＮ回線との間に接続され、ＩＳＤＮ基本チャネル信号とＩＰ信号とを多重化してＩＳＤＮ回線に送出すると共に、ＩＳＤＮ回線を介して送られてきた多重化信号をＩＳＤＮ基本チャネル信号とＩＰ信号とに分離する端末装置であって、
ＩＳＤＮ端末との接続用のインタフェースと、ＩＰ通信端末との接続用インタフェースと、これらインタフェースを介して受信したＩＳＤＮ基本チャネル信号及びＩＰ信号をＡＴＭセル信号化して多重化する手段と、ＡＴＭセル信号を変調する変調手段と、変調されたＡＴＭセル信号を４線／２線変換して前記ＩＳＤＮ回線へ送出すると共にＩＳＤＮ回線を経て送られてきた多重化ＡＴＭ信号を受信して２線／４線変換する手段と、変換された多重化ＡＴＭ信号を復調する復調手段と、復調されたＡＴＭセル信号をＩＳＤＮ基本チャネル信号とＩＰ信号とに分離してＩＳＤＮ端末接続用のインタフェース及びＩＰ通信端末接続用のインタフェースにそれぞれ送出する手段とを具えることを特徴とする。
【００１５】
【発明の実施の形態】
以下、図面を参照して本発明の通信ネットワーク並びに通信装置及び端末装置を詳細に説明する。
図１は、本発明による通信ネットワークの一例を示すシステム構成図であり、図２は本発明の端末装置と通信装置間の信号処理のフロー説明図であり、図３は本発明の通信装置の機能ブロック図であり、図４は本発明の端末装置の機能ブロックであり、図５は本発明の端末装置と通信装置との間の多重化信号フレームの一例を示す図である。
【００１６】
図１を参照して本発明による通信ネットワークのシステム槻要を説明する。ＩＳＤＮ加入者であるユーザ１宅には、ＩＳＤＮ端末１１との接続用基本インタフェース及びＩＰ通信端末１２との接続用インタフェースを終端する端末装置１０を設置する。この端末装置１０には、ユーザ１が利用するＧ４ＦＡＸ、デジタル電話、データ通信装置、映像通信装置などの各種ＩＳＤＮ端末１１及びパソコンなどのＩＰ通信端末１２が接続される。当該端末装置１０は、通信するデータを伝送する２Ｗメタリック回線３を接続収容している。この２Ｗメタリック回線３は、ユーザ１がＩＳＤＮサービスを受けるために既に設置されているＩＳＤＮ回線とすることができる。
【００１７】
２Ｗメタリック回線３を介して、ユーザ宅の端末装置１０を通信事業者の加入者線収容局２に配置した通信装置２０に接続する。通信事業者の加入者線収容局２にはＩＳＤＮ網４との接続用基本インタフェース及びＩＰ網５との接続用インタフェースを終端する通信装置２０が設置され、該通信装置２０には、ユーザ１が通信で利用するＩＳＤＮ網４及びＩＰ網５を接続する。尚、図面上１個のユーザ宅だけを図示したが、通信装置２０には複数のユーザ１の端末装置１０を接続する複数の２Ｗメタリック回線３を接続収容している。
【００１８】
なお、通信装置２０とＩＳＤＮ網４及びＩＰ網５との間には相互接続点７として、ＩＳＤＮ網４との間にはＢＲＩ（Ｂａｓｉｃ  Ｒａｔｅ  Ｉｎｔｅｒｆａｃｅ）インタフェース７０を有し、ＩＰ網５との間にＥｔｈｅｒインタフェース７１を有している。従って、ユーザ１が利用する通信網は、複数の通信事業者から選択することが可能となっている。
【００１９】
また、端未装置１０は、後述する図４で説明する監視制御機能部Ａ１００、ハイブリット機能部Ａ１０１、変復調機能部Ａ１０２、ＩＳＤＮ／Ｅｔｈｅｒ多重・分離機能部Ａ１０３、及びＩＳＤＮインタフェースＡ１０４、ＥｔｈｅｒインタフェースＡ１０５を具備し、通信端末は後述する図３で説明する監視制御機能部Ｂ１００、ハイブリット機能部Ｂ１０１、変復調機能部Ｂ１０２、ＩＳＤＮ／Ｅｔｈｅｒ多重・分離機能部Ｂ１０３、及びＩＳＤＮインタフェースＢ１０４、ＥｔｈｅｒインタフェースＢ１０５を具備している。
【００２０】
ＩＳＤＮ端末１１とＩＰ通信端末１２が発信すると、端未装置１０は、ＩＳＤＮインタフェースＡ１０４からＩＳＤＮの基本チャネル信号（ＩＳＤＮの基本インタフェースのＢ１，Ｂ２，Ｄチャネル上の信号）を、ＥｔｈｅｒインタフェースＡ１０５からＩＰ信号をそれそれ受信し、両端未からの信号をＩＳＤＮ／Ｅｔｈｅｒ多重・分離機能部Ａ１０３により該ＩＳＤＮの基本チャネル信号と該ＩＰ信号とをＡＴＭセル信号化して重畳する。尚、ＡＴＭセル信号のフォーマットは図５に示す。これらＩＳＤＮの基本チャネル信号とＩＰ信号が重畳されたＡＴＭセル信号は、変復調機能部Ａ１０２により変調され、変調された多重化信号となり、この変調された多重化信号は、上りと下りの双方向のデータ伝送をするために４線／２線変換及び２線／４線変換するハイブリット機能部Ａ１０１より４線／２線変換され、２Ｗメタリック回線３を介して通信装置２０へ伝送される。
【００２１】
通信装置２０は、２Ｗメタリック回線３から送られてきた変調多重信号を受信し、ハイブリット機能部Ｂ２０１で２線／４線変換した後、多重化された変調信号を変復調機能部Ｂ２０２へ送信する。この変復調機能部は、ユーザ１から送られてきた変調多重信号を復調して重畳されたＡＴＭセル信号とすると共に、ＩＳＤＮ網及びＩＰ網から送られてきた多重化されたＡＴＭセル信号を変調する機能を有する。変復調機能部Ｂ２０２によりＡＴＭセル信号へ復調されたＡＴＭセル信号は、ＩＳＤＮ／Ｅｔｈｅｒ多重・分離機能部Ｂ２０
３によりＩＳＤＮの基本チャネル信号とＩＰ信号とへ分離され、分離されたＩＳＤＮの基本チャネル信号はＩＳＤＮ網４へ、ＩＰ信号はＩＰ網５へそれぞれ送出される。
【００２２】
一方、ＩＳＤＮ網４からＩＳＤＮの基本チャネル信号が、ＩＰ網５からＩＰ信号が前出通信装置２０へ送信されると、通信装置２０は、ＩＳＤＮインタフェースＢ２０４からＩＳＤＮの基本チャネル信号を、ＥｔｈｅｒインタフェースＢ２０５からＩＰ信号をそれそれ受信し、両通信網からの信号をＩＳＤＮ／Ｅｔｈｅｒ多重・分解機能部Ｂ２０３によりＩＳＤＮの基本チャネル信号とＩＰ信号とをＡＴＭセル信号化して重畳し、ＩＳＤＮの基本チャネル信号とＩＰ信号とが重畳されたＡＴＭセル信号を形成する。この重畳されたＡＴＭセル信号は、変復調機能部Ｂ２０２により変調されて多重化された変調信号となる。この多重化された変調信号は、上りと下りの双方向のデータ伝送をするために４線／２線変換するハイブリット機能部Ｂ２０１より変換され、２Ｗメタリック回線３を介してユーザ宅の端未装置１０へ伝送される。端末装置１０では、２Ｗメタリック回線３から受信してハイブリット機能部Ａ１０１で２線／４線変換した後、多重化された変調信号を変復調機能部Ａ１０２へ送信する。そして、該変復調機能部Ａ１０２により多重化された変調信号をＡＴＭセル信号へ復調し、ＩＳＤＮ／Ｅｔｈｅｒ多重・分離機能部Ａ１０３により復調されたＡＴＭセル信号をＩＳＤＮの基本チャネル信号とＩＰ信号とへ分離し、分離されたＩＳＤＮの基本チャネル信号はＩＳＤＮ端末１１へ、ＩＰ信号はＩＰ通信端末１２へそれぞれ送信される。
【００２３】
つぎに、図２を参照して、本発明の端末装置１０と通信装置２０の信号処理を説明する。電話、Ｇ４ＦＡＸなどのＩＳＤＮ端末１１から発信し（Ｓ１）、パソコンなどのＩＰ通信端末１２から発信する（Ｓ２）と、端末装置１０はＩＳＤＮ端末１１とＩＰ通信端末１２から受信する基本チャネル信号とＩＰ信号をＩＳＤＮ／Ｅｔｈｅｒ多重・分離機能部Ａ１０３によりＩＳＤＮの基本チャネル信号とＩＰ信号をＡＴＭセル信号化して重畳し、変復調機能部Ａ１０２により重畳されたＡＴＭセル信号を多重信号化し、ハイブリット機能部Ａで４線／２線変換後２Ｗメタリック回線３を介して通信装置２０ヘデータ伝送する（Ｓ３）。
【００２４】
通信装置２０は、２Ｗメタリック回線３を介して端末装置１０より受信する多重化された変調信号を変復調機能部Ｂ２０２で多重化信号をＡＴＭセル信号へ復調し、ＩＳＤＮ／Ｅｔｈｅｒ多重・分離機能部Ｂ２０３によりＩＳＤＮの基本チャネル信号とＩＰ信号を分離し、分離したＩＳＤＮの基本チャネル信号はＩＳＤＮ網４へ、ＩＰ信号はＩＰ網５へ送信され（Ｓ４）、ＩＳＤＮ網４は通信装置２０から送信のＩＳＤＮ信号を伝送し（Ｓ５）、ＩＰ網５は通信装置２０から送信のＩＰ信号を伝送する（Ｓ６）。
【００２５】
また、ＩＳＤＮ網４は、当該網に接続されているＩＳＤＮ端末から伝送されてきたＩＳＤＮ信号を通信装置２０へ送信し（Ｓ７）、ＩＰ網５は、当該網に接続されているＩＰ通信端末から伝送されてきたＩＰ信号を通信装置２０へ送信する（Ｓ８）と、通信装置２０は、ＩＳＤＮ網４とＩＰ網５から受信するＩＳＤＮの基本チャネル信号とＩＰ信号をＩＳＤＮ／Ｅｔｈｅｒ多重・分離機能部Ｂ２０３によりＡＴＭセル信号化して重畳し、変復調機能部Ｂ２０２により重畳されたＡＴＭセル信号を多重信号化し、ハイブリット機能部Ｂ２０１で４線／２線変換後２Ｗメタリック回線３を介して端末装置１０ヘデータ伝送する（Ｓ９）。端末装置１０は、２Ｗメタリック回線３を介して通信装置２０より受信する多重化された変調信号を変復調機能部Ａ１０２で多重化信号をＡＴＭセル信号へ復調してＩＳＤＮ／Ｅｔｈｅｒ多重・分離機能部Ａ１０３によりＩＳＤＮの基本チャネル信号とＩＰ信号を分離し、分離したＩＳＤＮの基本チャネル信号はＩＳＤＮ端末１１へ、ＩＰ信号はＩＰ通信端末１２へ送信され（Ｓ１０）、ＩＳＤＮ端末１１は端末装置１０より基本チャネルのＩＳＤＮ信号を受信し（Ｓ１１）、ＩＰ通信端末１２は端末装置１０よりＩＰ信号を受信する（Ｓ１２）。
【００２６】
つぎに、図３により、通信装置２０の機能ブロックについて説明する。通信装置２０において、監視制御機能部Ｂ２００は、変復調機能部Ｂ２０２及びＩＳＤＮ／Ｅｔｈｅｒ多重・分離機能部Ｂ２０３の起動、処理、接続などの状態を制御及び監視するモジュールである。ハイブリット機能部Ｂ２０１は、通信装置２０と２Ｗメタリック回線３とが、上り下り双方向の多重化された変調信号をデータ伝送するために２線／４線変換及び４線／２線変換するモジュールである。変復調機能部Ｂ２０２は、ＩＳＤＮの基本チャネル信号とＩＰ信号が重畳されたＡＴＭセル信号を変調して多重化された変調信号とする変調手段及び多重化された変調信号を復調してＡＴＭセル信号とする復調手段としてのモジュールである。ＩＳＤＮ／Ｅｔｈｅｒ多重・分離機能部Ｂ２０３は、ＩＳＤＮの基本チャネル信号とＩＰ信号をＡＴＭセル信号化して重畳する手段及びその逆のＡＴＭセル信号をＩＳＤＮの基本チャネル信号とＩＰ信号とへ分離する手段としてのモジュールである。ＩＳＤＮインタフェースＢ２０４は、ＩＳＤＮ網４との接続用インタフェースを有するモジュールで、ＥｔｈｅｒインタフェースＢ２０５は、ＩＰ網５との接続用インタフェースを有するモジュールである。
【００２７】
つぎに、図４により、端末装置１０の機能ブロックについて説明する。端末装置１０において、監視制御機能部Ａ１００は、変復調機能部Ａ１０２及びＩＳＤＮ／Ｅｔｈｅｒ多重・分離機能部Ａ１０３の起動、処理、接続などの状態を制御及び監視するモジュールである。ハイブリット機能部Ａ１０１は、端末装置１０と２Ｗメタリック回線３とが、上り下り双方向の多重化された変調信号をデータ伝送するために２線／４線変換及び４線／２線変換するモジュールである。変復調機能部Ａ１０２は、ＩＳＤＮの基本チャネル信号とＩＰ信号が重畳されたＡＴＭセル信号を変調して多重化する手段及びその逆に多重化された信号を復調してＡＴＭセル信号へ復調する手段としてのモジュールである。ＩＳＤＮ／Ｅｔｈｅｒ多重・分離機能部Ａ１０３は、ＩＳＤＮの基本チャネル信号とＩＰ信号をＡＴＭセル信号化して重畳する手段及びその逆にＡＴＭセル信号をＩＳＤＮの基本チャネル信号とＩＰ信号とへ分離する手段としてのモジュールである。ＩＳＤＮインタフェースＡ１０４は、ＩＳＤＮ端末１１との接続用インタフェースを有するモジュールで、ＥｔｈｅｒインタフェースＡ１０５は、ＩＰ通信端末１２との接続用インタフェースを有するモジュールである。
【００２８】
つぎに、図５により、ＡＴＭセル信号のフレーム構成を説明する。フレーム・フォーマット６は、ＩＳＤＮデータ領域６０とＩＰデータ領域６１が割り当てられて、ＩＳＤＮデータ領域６０は固定的に領域を確保し、残りの領域をＩＰ領域６１として割り当てる。一例として、ＩＳＤＮデータ領域６０は、Ｂ１チャネル上の信号、Ｂ２チャネル上の信号、及びＤチャネル上の信号の３つの領域を有する。また、ＩＰデータ領域６１は、線路損失により長距離の場合は小領域とし、短距離になるほど大領域に可変して割り当てることができる。
【００２９】
【発明の効果】
本発明によれば、ＩＳＤＮ網とＩＰ網とを収容した通信装置を通信事業者が設置し、該通信装置と既存の２Ｗメタリック回線で接続される端末装置をユーザ宅に設置すると、ユーザは該端末装置へＩＳＤＮ端末とＩＰ通信端末とが接続でき、Ｇ４ＦＡＸなどのＩＳＤＮ通信サービスを利用しているユーザは、さらにパソコンなどのＩＰ通信サービスをも同時に利用することが可能となり、ＩＳＤＮ回線とＩＰ回線を別々に引き込む必要が無くなり、そのために通信設備の経費が安価となる。また、本発明による通信サービスでは、通信装置と端末装置を設置するだけでサービスの利用ができるので不特定通信事業者も参入が可能であり、公正な競争による通信料低廉化が期待でき、該通信装置へ接続する通信網も複数の通信事業者の中からユーザが自由に選択することが可能となる。
さらに、本発明による通信サービスの提供は、短期間でサービス運用できる。
【図面の簡単な説明】
【図１】本発明による通信システムの一例を示すシステム構成図である。
【図２】本発明による端末装置と通信装置との間の信号処理のフローを説明する図である。
【図３】本発明による通信装置の機能ブロック図である。
【図４】本発明による端末装置の機能ブロック図である。
【図５】本発明におけるＡＴＭセル信号フレームの一例を示す図である。
【符号の説明】
１  ユーザ
２  通信事業者
３  ２Ｗメタリック回線
４  ＩＳＤＮ網
５  ＩＰ網
６  フレーム・フォーマット
７  相互接続点
１０  端末装置
１１  ＩＳＤＮ端末
１２  ＩＰ通信端末
２０  通信装置
６０  ＩＳＤＮデータ領域
６１  ＩＰデータ領域
７０  ＢＲＩ
７１  Ｅｔｈｅｒ
１００  監視制御機能部Ａ
１０１  ハイブリット機能部Ａ
ｌＯ２  変復調機能部Ａ
１０３  ＩＳＤＮ／Ｅｔｈｅｒ多重・分離機能部Ａ
１０４  ＩＳＤＮインタフェースＡ
１０５  ＥｔｈｅｒインタフェースＡ
２００  監視制御機能部Ｂ
２０１  ハイブリット機能部Ｂ
２０２  変復調機能部Ｂ
２０３  ＩＳＤＮ／Ｅｔｈｅｒ多重・分離機能部Ｂ
２０４  ＩＳＤＮインタフェースＢ
２０５  ＥｔｈｅｒインタフェースＢ
【図１】
2004180025.tif 000003
【図２】
2004180025.tif 000004
【図３】
2004180025.tif 000005
【図４】
2004180025.tif 000006
【図５】
2004180025.tif 000007